【手続補正書】
【提出日】平成15年8月7日(2003.8.7)
【手続補正１】
【補正対象書類名】明細書
【補正対象項目名】特許請求の範囲
【補正方法】変更
【補正の内容】
【特許請求の範囲】
【請求項１】
貯蔵ロールから繰り出され押し当てレールを経て巻き取りロールに送られる洗浄布を有し、該洗浄布は、前記押し当てレールによって、洗浄される胴外套面に押し当てられる、輪転印刷機の胴外套面の洗浄装置において、
前記貯蔵ロール（３）と前記巻き取りロール（５）は、前記洗浄布（２）と共に支持部（７）において案内され、胴軸線方向に平行に機械から取り出すことができるように配置されていることを特徴とする、輪転印刷機の胴外套面の洗浄装置。
【請求項２】
前記貯蔵ロール（３）と前記巻き取りロール（５）は、片側が機械の側方枠（１０）に支持されている軸（９）上に支持され、
前記洗浄布は前記軸（９）にはめ込むことができる管（８）上に巻き取られており、
該管（８）は片側を中空軸（１２）に固定されており、
該中空軸（１２）は、前記支持部（７）と共に、前記貯蔵ロール（３）と前記巻き取りロール（５）が差し込まれた状態で、機械の他の側方枠（１５）に固定されている、請求項１に記載の装置。
【請求項３】
前記管（８）は、前記貯蔵ロール（３）と前記巻き取りロール（５）が差し込まれた状態で、回転結合部（１８）を介して前記軸（９）と連結することができる、請求項２に記載の装置。
【請求項４】
管（１９）が両側を支持部材（２０）に支持されており、
該両支持部材（２０）は方向転換レール（２１）によって互いに連結されており、
前記支持部材（２０）は、前記貯蔵ロール（３）と前記巻き取りロール（５）をはめ込んだ状態で機械の側方枠に差し込み（３３）によって片側を固定されている、請求項１に記載の装置。
【請求項５】
両方の前記支持部材（２０）は、前記貯蔵ロール（３）および前記巻き取りロール（５）と共にレール（２３）上を前記胴外套面（１）に平行に洗浄装置の作動位置に挿入することができる、請求項４に記載の装置。
【請求項６】
洗浄装置は、前記レール（２３）のへこみ部（２５）に係合する掛け金（２４）によって作動位置に確実に保持されている、請求項５に記載の装置。
【請求項７】
洗浄装置が作動位置にある時、前記貯蔵ロール（３）上の布残量用の検知手段（２６）が作動位置に移動される、請求項５に記載の装置。
【請求項８】
前記貯蔵ロール（３）と前記巻き取りロール（５）は、片側が機械の側方枠に回転できるように支持された片持ち軸（２７）にはめ込まれており、
前記貯蔵ロール（３）と前記巻き取りロール（５）を前記片持ち軸（２７）に回転できないように連結する拘束カム（３２）が前記片持ち軸（２７）の反対側に設けられている、請求項１に記載の装置。
【手続補正２】
【補正対象書類名】明細書
【補正対象項目名】０００４
【補正方法】変更
【補正の内容】
【０００４】
【課題を解決するための手段】
本発明によれば、上記の課題は、貯蔵ロールと巻き取りロールが、洗浄布と共に支持部において案内され、胴軸線方向に平行に機械から取り出すことが出来るように配置されていることによって解決される。この場合、支持部は軽量で、印刷工はこれを２つの洗浄布ロールと一緒に機械から取り出すだけでよいので、これらの部材（支持部、洗浄ロール）は簡単に扱うことができる。さらに、供給部、制御部および可動部を機械から取り外したり、洗浄装置と結合したりする必要がないので、それによっても費用は著しく軽減することができた。


【手続補正３】
【補正対象書類名】明細書
【補正対象項目名】０００５
【補正方法】変更
【補正の内容】
【０００５】
本発明の好ましい実施態様は、貯蔵ロールと巻き取りロールは、片側が機械の側方枠に支持されている軸上に支持され、洗浄布は軸にはめ込むことができる管上に巻き取られており、これらの管は片側を中空軸に固定されており、支持部は、貯蔵ロールと巻き取りロールが差し込まれた状態で、機械の他の側方枠に固定されていることを特長としている。印刷工は、側方枠への固定を外して支持部を取り外した後、２つのロールを軸から引き抜いて別の新しいロールを機械に差し込むことができる。その後、印刷工は支持部を側方枠に固定するだけで、極めて短い時間で新しい洗浄布を使用状態に置くことができる。


【手続補正４】
【補正対象書類名】明細書
【補正対象項目名】０００６
【補正方法】変更
【補正の内容】
【０００６】
有利な実施態様において、管は貯蔵ロールと巻き取りロールを差し込んだ状態で回転結合（結合すべき２つの物体が相対回転しないように結合すること）部によって軸と連結することができるので、差し込むだけで巻き取りロールの回転駆動が可能になる。


【手続補正５】
【補正対象書類名】明細書
【補正対象項目名】０００７
【補正方法】変更
【補正の内容】
【０００７】
やや変形した実施態様は、管が両側を支持部材に支持されており、これらの支持部材は方向転換レールによって連結されており、支持部材は貯蔵ロールと巻き取りロールをはめ込んだ状態で機械の側方枠に片側を固定されていることを特徴とする。この非常に簡単に構成される実施態様においても、２つの洗浄布ロールだけを交換すればよく、この場合、たとえば押し当てレールは機械内にとどめておく。


【手続補正６】
【補正対象書類名】明細書
【補正対象項目名】０００８
【補正方法】変更
【補正の内容】
【０００８】
簡単な実施態様において、両方の支持部材は貯蔵ロールと巻き取りロールと共にレール上を胴外套面と平行に洗浄装置の作動位置に挿入することができる。さらに、洗浄装置は、レールのへこみ部に係合する掛け金によってその作動位置に確実に保持されている。その際、洗浄装置が作動位置にある時に、貯蔵ロール上の布残量に対する検知手段が作動位置に移動されることが好都合であろう。これらすべての手段の特徴により、洗浄装置は本質的に簡単化され、それと同時に、作業員は重い部材を運ばなくてもよくなる。


【手続補正７】
【補正対象書類名】明細書
【補正対象項目名】００１３
【補正方法】変更
【補正の内容】
【００１３】
図３の実施例は、管１９が両側で支持部材２０に支持されている点が異なっている。この場合、両側の支持部材２０は、洗浄布１の全幅にわたって延びている方向転換レール２１によって連結されている。図１から分かるように、洗浄布２は方向転換レール２１上を通過して案内され、押し当てレール４の手前で滴下管２２により洗剤で湿らされる。両側の支持部材２０うち、片側は機械の側方枠に固定することができる。両方の支持部材２０は、レール２３上を胴外套面１と平行に洗浄装置の作動位置に押し入れることができる。洗浄装置は、掛け金２４によって作動位置に確実に保持されており、掛け金２４はレール２３のへこみ部２５中にはまり込んでいる。さらに、洗浄装置の作動位置では、差し込みによって作動位置に就く検知手段２６によって貯蔵ロール３上の布の残量が監視される。


【手続補正８】
【補正対象書類名】明細書
【補正対象項目名】符号の説明
【補正方法】変更
【補正の内容】
【符号の説明】
１    胴外套面
２    洗浄布
３    貯蔵ロール
４    押し当てレール
５    巻き取りロール
６    取り付け具
７、３１    支持部
８、１９    管
９    軸
１０、１５    機械の側方枠
１１、１３、２９    ころ軸受
１２    中空軸
１４    ガイドボルト
１６    ハンドル
１７    ディスク
１８    ピン
２０    支持部材
２１    方向転換レール
２２    滴下管
２３    レール
２４    掛け金
２５    へこみ部
２６    検知手段
２７    片持ち軸
２８    スラスト部材
３０、３６    スリーブ
３２    拘束カム
３３    差し込み
３４    スリット
３５    ハンドグリップ
３７    スラスト軸受